(57)【要約】【課題】定期的に行われる被管理装置の情報収集および被管理装置の管理操作を迅速に行うことができる通信ネットワーク管理システムを得ること。【解決手段】通信ネットワーク５０および通信ネットワーク６０に接続された管理装置１０および被管理装置４０と、通信ネットワーク５０に接続されたオペレータ端末装置３０および上位管理装置２０と、からなるネットワーク管理システムであって、管理装置１０は、通信ネットワーク５０に接続された通信部１６、通信ネットワーク６０に接続された通信部１７および物理インタフェース選択部１５を備え、被管理装置４０は、通信ネットワーク５０に接続された通信部４１および通信ネットワーク６０に接続された通信部４２を備える。【選択図】      図１
2005020534.tif 000002
【特許請求の範囲】
【請求項１】
管理装置と、該管理装置によって管理される被管理装置と、前記管理装置を操作する端末装置と、前記管理装置、前記被管理装置および前記端末装置が接続され前記被管理装置の管理を行うための第１の通信ネットワークと、前記管理装置および前記被管理装置が接続され前記管理装置が前記被管理装置の定期的な情報収集を行うための第２の通信ネットワークとを備えるネットワーク管理システムであって、
前記管理装置は、前記第１の通信ネットワークに接続された第１の物理インタフェース、前記第２の通信ネットワークに接続された第２の物理インタフェースおよび前記第１の物理インタフェースと前記第２の物理インタフェースとの切替制御を行う物理インタフェース選択部を備え、
前記被管理装置は、前記第１の通信ネットワークに接続された第３の物理インタフェースおよび前記第２の通信ネットワークに接続された第４の物理インタフェースを備えることを特徴とするネットワーク管理システム。
【請求項２】
管理装置と、該管理装置によって管理される被管理装置と、前記管理装置を操作する端末装置と、前記管理装置、前記被管理装置および前記端末装置が接続され前記被管理装置の管理を行うための第１の通信ネットワークと、前記管理装置および前記被管理装置が接続され前記被管理装置の管理または前記管理装置が前記被管理装置の定期的な情報収集を行うための第３の通信ネットワークとを備えるネットワーク管理システムであって、
前記管理装置は、前記第１の通信ネットワークに接続された第１の物理インタフェース、前記第３の通信ネットワークに接続された第２の物理インタフェースおよび前記被管理装置の定期的な情報収集が行われていないときには前記被管理装置の管理操作を前記第１の物理インタフェースまたは前記第２の物理インタフェースのいずれか一方によって行うよう制御し、前記被管理装置の定期的な情報収集が行われているときには前記被管理装置の管理操作を前記第１の物理インタフェースによって行うよう制御する物理インタフェース選択部を備え、
前記被管理装置は、前記第１の通信ネットワークに接続された第３の物理インタフェースおよび前記第３の通信ネットワークに接続された第４の物理インタフェースを備えることを特徴とするネットワーク管理システム。
【請求項３】
前記被管理装置は、前記管理装置からの管理制御信号に対する応答信号を前記管理装置へ通知し、
前記管理装置は、前記被管理装置からの前記応答信号を前記端末装置へ通知することを特徴とする請求項１または２に記載のネットワーク管理システム。
【請求項４】
前記被管理装置は、前記管理装置からの管理制御信号を前記第３の物理インタフェースを介して受信した場合は該管理制御信号に対する応答信号を前記第３の物理インタフェースを介して前記管理装置に通知し、前記管理装置からの管理制御信号を前記第４の物理インタフェースを介して受信した場合は該管理制御信号に対する応答信号を前記第４の物理インタフェースを介して前記管理装置に通知することを特徴とする請求項２に記載のネットワーク管理システム。
【発明の詳細な説明】
【０００１】
【発明の属する技術分野】
この発明はネットワークを構成する通信装置を管理、制御するネットワーク管理システムに関するものである。
【０００２】
【従来の技術】
通信ネットワークでは、通信ネットワーク上の通信装置が保持している情報を収集して管理する必要があり、この情報の収集を効率よく行うことが望まれている。
【０００３】
従来のネットワーク管理システムは、管理装置、管理装置によって管理される被管理装置、管理装置を操作する管理操作装置で構成され、これらの装置が１つの通信ネットワークで接続されている。そして、ネットワークの管理者が管理操作装置において管理装置の管理操作命令を入力すると、この管理操作命令が管理装置に送信され、管理装置が被管理装置の管理操作命令を送信することによって被管理装置の管理操作を行っている。また、管理装置は被管理装置に対して定期的な情報収集を行っている。
【０００４】
しかし、複数の通信装置に対して情報の収集を行う場合や収集する情報量が大きな場合は、情報収集を行う際の通信応答信号の性能が劣化するとともに情報収集を行うための時間が多くかかるといった問題があった。
【０００５】
また、特許文献１に記載のネットワーク管理システムでは、複数の被管理装置に対して定期的に行われる情報収集の要求を被管理装置毎にスケジュール管理して行うようにしている。このスケジュール管理を行うことによって、複数の装置に対する情報収集の要求が一定時間に集中することを回避し、通信性能の劣化を抑制している。
【０００６】
【特許文献１】
特開２０００−２５９５２０号公報（第１，２項）
【０００７】
【発明が解決しようとする課題】
しかしながら、上記従来の技術では被管理装置の管理操作の要求と定期的に行われる被管理装置の情報収集が同一の通信ネットワーク回線によって行われるため被管理装置の管理操作要求と定期的な情報集が互いに影響を及ぼしあうこととなり通信性能の劣化が引き起こされる。このため、被管理装置の管理操作命令に対する被管理装置からの応答信号の遅延や被管理装置の定期的な情報収集が遅延するといった問題があった。
【０００８】
この発明は上記に鑑みてなされたものであって、定期的に行われる通信ネットワーク上の被管理装置の情報収集および被管理装置の管理を迅速に行うことができる通信ネットワーク管理システムを得ることを目的とする。
【０００９】
【課題を解決するための手段】
上述した課題を解決し、目的を達成するために、本発明にかかるネットワーク管理システムにあっては、管理装置と、該管理装置によって管理される被管理装置と、前記管理装置を操作する端末装置と、前記管理装置、前記被管理装置および前記端末装置が接続され前記被管理装置の管理を行うための第１の通信ネットワークと、前記管理装置および前記被管理装置が接続され前記管理装置が前記被管理装置の定期的な情報収集を行うための第２の通信ネットワークとを備えるネットワーク管理システムであって、前記管理装置は、前記第１の通信ネットワークに接続された第１の物理インタフェース、前記第２の通信ネットワークに接続された第２の物理インタフェースおよび前記第１の物理インタフェースと前記第２の物理インタフェースとの切替制御を行う物理インタフェース選択部を備え、前記被管理装置は、前記第１の通信ネットワークに接続された第３の物理インタフェースおよび前記第２の通信ネットワークに接続された第４の物理インタフェースを備えることを特徴とする。
【００１０】
この発明によれば、被管理装置の定期的な情報収集を行うための第１の通信ネットワークと被管理装置の管理を行うための第２の通信ネットワークを別個独立に設置したので、定期的に行われる被管理装置の情報収集と被管理装置の管理を互いに影響を及ぼすことなく行うことができる。
【００１１】
【発明の実施の形態】
以下、本発明にかかる通信ネットワーク管理システムの実施の形態を図面に基づいて詳細に説明する。なお、この実施の形態によりこの発明が限定されるものではない。
【００１２】
実施の形態１．
図１〜図３に従ってこの発明の実施の形態１について説明する。図１はこの発明の実施の形態にかかる通信ネットワーク管理システムの構成を示すブロック図である。実施の形態１にかかる通信ネットワーク管理システムは、管理装置１０、管理装置１０によって管理される被管理装置４０、管理装置１０の管理を行うとともに管理装置１０の操作を行う上位管理装置２０、管理装置１０の操作を行うオペレータ端末装置３０、通信ネットワーク５０，６０からなる。
【００１３】
管理装置１０は、上位管理装置２０、オペレータ端末装置３０、被管理装置４０と通信ネットワーク５０を介して電気的に接続されるとともに、通信ネットワーク６０を介して被管理装置４０と電気的に接続されている。通信ネットワーク５０と通信ネットワーク６０は互いに独立して設置され、互いの通信が相手の通信に影響を及ぼさないように構成されている。
【００１４】
管理装置１０は、データベース１１、上位管理装置情報処理部１２、マネージャ情報処理部１３、端末装置情報処理部１４、物理インタフェース選択部１５、通信部１６，１７で構成されている。
【００１５】
通信部１６は、上位管理装置２０、オペレータ端末装置３０、被管理装置４０と通信ネットワーク５０を介して通信を行うための物理インタフェースである。通信部１６は、上位管理装置２０やオペレータ端末装置３０から送られる被管理装置４０を管理するための管理制御信号を受信したり、被管理装置４０に対して管理操作命令を送信する。ここでの管理制御信号は、管理装置１０が被管理装置４０の管理操作を行うよう管理装置１０を制御するものであってもよいし、被管理装置４０を制御するための管理操作命令を管理装置１０から被管理装置４０へ転送させるものであってもよい。
【００１６】
通信部１７は、被管理装置４０と通信ネットワーク６０を介して通信を行うための物理インタフェースである。通信部１７は、被管理装置４０に対して定期的な情報収集の要求を送信したり、被管理装置４０から提供される定期情報を受信するための物理インタフェースである。
【００１７】
物理インタフェース選択部１５は、通信部１６，１７と電気的に接続され、被管理装置４０の管理操作命令を実行させる場合は通信部１６を用いて被管理装置４０と通信を行い、被管理装置４０の定期的な情報収集を行う場合は通信部１７を用いて被管理装置４０と通信を行うよう通信部１６と通信部１７の切替制御を行う。
【００１８】
上位管理装置情報処理部１２は、物理インタフェース選択部１５、マネージャ情報処理部１３、データベース１１と電気的に接続されている。上位管理装置情報処理部１２は、上位管理装置２０から管理装置１０に送られる情報を受信し、被管理装置４０を管理するための管理制御信号を受信したか否かの判別を行うとともに、管理制御信号を受信した場合はこの要求をマネージャ情報処理部１３に転送する。
【００１９】
端末装置情報処理部１４は、物理インタフェース選択部１５、マネージャ情報処理部１３、データベース１１と電気的に接続されている。端末装置情報処理部１４は、オペレータ端末装置３０から管理装置１０に送られる情報を受信し、被管理装置４０を管理するための管理制御信号を受信したか否かの判別を行うとともに、管理制御信号を受信した場合はこの要求をマネージャ情報処理部１３に転送する。
【００２０】
マネージャ情報処理部１３は、物理インタフェース選択部１５、上位管理装置情報処理部１２、端末装置情報処理部１４、データベース１１と電気的に接続されている。マネージャ情報処理部１３は、被管理装置４０の定期的な情報収集を行うとともに、被管理装置４０を管理するための管理制御信号を受信した場合に管理制御信号を送信してきた装置を記憶した後、被管理装置４０に管理操作命令を送信する。そして、被管理装置４０から管理操作命令に対する応答信号を受信して管理操作命令の要求元の装置（管理装置１０に管理制御信号を送信した装置）に通知する。
【００２１】
例えば、オペレータ端末装置３０から被管理装置４０を管理するための管理制御信号があった場合は、オペレータ端末装置３０を記憶しておく。そして、マネージャ情報処理部１３が被管理装置４０から管理操作命令に対する応答信号を受信した後、マネージャ情報処理部１３は記憶しておいたオペレータ端末装置３０に被管理装置４０から受信した管理操作命令に対する応答信号を送信する。なお、被管理装置４０の定期的な情報収集はマネージャ情報処理部１３自身が行うものであり、定期的な情報収集の結果を他の装置に通知する必要はない。
【００２２】
データベース１１は、管理装置１０で管理する情報収集を行うための条件や被管理装置４０から得た管理操作命令に対応する応答信号等の情報を格納するものである。
【００２３】
被管理装置４０は、通信部４１，４２、資源管理部４３からなり、資源管理部４３は通信部４１，４２と電気的に接続されている。通信部４１は、管理装置１０から送られる被管理装置４０の管理操作命令を通信ネットワーク５０を介して受信し、この管理操作命令に対応した回答を管理装置１０に通知するための物理インタフェースである。ここでの管理操作命令に対応する回答は、例えば被管理装置４０内の情報の読み出し、被管理装置４０の設定変更の完了、管理操作命令の実行エラー等である。
【００２４】
通信部４２は、管理装置１０から送られる被管理装置４０の定期的な情報収集の要求を通信ネットワーク６０を介して受信し、管理装置１０に定期的な情報収集の要求に対する情報を送信するための物理インタフェースである。
【００２５】
資源管理部４３は、管理装置１０からの管理操作命令を通信部４１を介して受信し、被管理装置４０の管理操作を行うとともに、通信部４１を介して管理装置１０に管理操作に対する回答を通知する。
【００２６】
上位管理装置２０は、表示部２１、通信部２２からなり、表示部２１と通信部２２は電気的に接続されている。通信部２２は、管理装置１０に対して被管理装置４０を管理するための管理制御信号を通信ネットワーク５０を介して送信し、管理装置１０から送られる管理操作命令に対する回答を受信するための物理インタフェースである。
【００２７】
表示部２１は、被管理装置４０を管理するための管理制御信号を入力するためのものである。また、表示部２１は被管理装置４０の管理操作命令に対する回答を表示するものである。
【００２８】
オペレータ端末装置３０は、表示部３１、通信部３２からなり、表示部３１と通信部３２は電気的に接続されている。通信部３２は、管理装置１０に対して被管理装置４０を管理するための管理制御信号を通信ネットワーク５０を介して送信し、管理装置１０から送られる管理操作命令に対する回答を受信するための物理インタフェースである。
【００２９】
表示部３１は、被管理装置４０を管理するための管理制御信号を入力するためのものである。また、表示部３１は被管理装置４０の管理操作命令に対する回答を表示するものである。
【００３０】
つぎに、この発明の実施の形態１にかかるネットワーク管理システムの通信手順について説明する。図２は、被管理装置４０の管理操作を行う場合のネットワーク管理システムの通信手順を示すフローチャートである。
【００３１】
ネットワーク管理システムの管理者はオペレータ端末装置３０の表示部３１または上位管理装置２０の表示部２１から被管理装置４０を管理するため管理装置１０への管理制御信号の入力を行う（ステップＳ１００）。管理制御信号の入力が行われると、オペレータ端末装置３０の通信部３２または上位管理装置２０の通信部２２から通信ネットワーク５０を介して管理装置１０へ管理制御信号が送信され、管理装置１０の通信部１６において管理制御信号を受信する（ステップＳ１１０）。
【００３２】
通信部１６は、受信した管理制御信号が上位管理装置２０から送信された場合は物理インタフェース選択部１５を介して上位管理装置情報処理部１２に管理制御信号を転送し、受信した管理制御信号がオペレータ端末装置３０から送信された場合は物理インタフェース選択部１５を介して端末装置情報処理部１４に管理制御信号を転送する（ステップＳ１２０）。
【００３３】
上位管理装置情報処理部１２または端末装置情報処理部１４は、受信した情報が管理制御信号であることを確認し、受信した管理制御信号をマネージャ情報処理部１３に転送する。そして、マネージャ情報処理部１３は受信した管理制御信号の送信元装置である上位管理装置２０またはオペレータ端末装置３０を記憶するとともに（ステップＳ１３０）、管理操作命令を実行させる被管理装置４０を特定し、管理操作命令を物理インタフェース選択部１５に送信する（ステップＳ１４０）。
【００３４】
物理インタフェース選択部１５では、受信した情報の種類に応じて通信部１６と通信部１７のいずれを用いて被管理装置４０と通信を行うかを選択する。ここでは、オペレータ端末装置３０や上位管理装置２０からの管理制御信号に対して管理操作命令を送信するため通信部１６を用いて被管理装置４０と通信を行うことを選択する（ステップＳ１５０）。
【００３５】
物理インタフェース選択部１５で通信部１６の選択を行った後、通信部１６から通信ネットワーク５０を介して被管理装置４０に管理操作命令を送信する。そして、被管理装置４０において管理操作命令に応じた操作を実行する（ステップＳ１６０）。被管理装置４０の資源管理部４３において管理操作命令に応じた操作を実行させた後、管理操作命令の実行に対応する応答信号を被管理装置４０の通信部４１から通信ネットワーク５０を介して管理装置１０に送信する（ステップＳ１７０）。
【００３６】
管理装置１０は、被管理装置４０からの管理操作命令の実行に対応する応答信号を通信部１６で受信すると、物理インタフェース選択部１５を介してマネージャ情報処理部１３に転送する。
【００３７】
マネージャ情報処理部１３は、被管理装置４０から送られる管理操作命令の実行に対応する応答信号をデータベース１１に格納する（ステップＳ１８０）。また、この時マネージャ情報処理部１３では記憶しておいた情報に基づいて被管理装置４０に管理操作命令を要求した装置（管理制御信号を送信した装置）がどの装置であるかを確認する。ここでは、上位管理装置２０またはオペレータ端末装置３０から被管理装置４０の管理操作命令が要求されているため、上位管理装置２０またはオペレータ端末装置３０から被管理装置４０の管理操作命令が要求されたことを確認することができる。
【００３８】
そして、被管理装置４０から送られる管理操作命令の実行に対応する応答信号をマネージャ情報処理部１３から物理インタフェース選択部１５を介して通信部１６に転送し、この管理操作命令を要求した上位管理装置２０またはオペレータ端末装置３０に対して管理操作命令の実行に対応する応答信号を通信ネットワーク５０を介して送信する（ステップＳ１９０）。
【００３９】
オペレータ端末装置３０の通信部３２が被管理装置４０から送られる管理操作命令の実行に対応する応答信号を受信した場合は、この応答信号情報が表示部３１に転送され表示部３１において表示される。一方、上位管理装置２０の通信部２２が被管理装置４０から送られる管理操作命令の実行に対応する応答信号を受信した場合は、この応答信号情報が表示部２１に転送され表示部２１において表示される（ステップＳ２００）。このように、被管理装置４０から送られる管理操作命令の実行に対応する応答信号が表示部２１や表示部３１に表示されることによってネットワーク管理システムの管理者は被管理装置４０への管理操作命令の実行に対応する応答信号情報を知ることが可能となる。
【００４０】
図３は、被管理装置４０の定期的な情報収集を行う場合のネットワーク管理システムの通信手順を示すフローチャートである。管理装置１０のマネージャ情報処理部１３は、被管理装置４０から定期的な情報収集を行うため時刻を測定するためのタイマー（図示せず）を作動させておく。そして、このタイマが所定の時刻になった場合に定期的な情報収集を開始する。なお、このタイマは情報収集を行う被管理装置４０毎、情報収集の種類毎に設定されている。
【００４１】
定期的な情報収集は、マネージャ情報処理部１３からの要求によって行われ（ステップＳ３００）、この時マネージャ情報処理部１３は定期的な情報収集の要求を行ったことを記憶しておく。そして、定期的な情報収集の要求は物理インタフェース選択部１５に送信される（ステップＳ３１０）。
【００４２】
物理インタフェース選択部１５では、操作命令の種類に応じて通信部１６と通信部１７のいずれを用いて被管理装置４０と通信を行うかを選択する。ここでは、マネージャ情報処理部１３から被管理装置４０への定期的な情報収集であるため通信部１７を用いて被管理装置４０と通信を行うことを選択する（ステップＳ３２０）。
【００４３】
物理インタフェース選択部１５で通信部１７の選択を行った後、通信部１７から通信ネットワーク６０を介して被管理装置４０に定期的な情報収集の要求を送信する。被管理装置４０は、定期的な情報収集の要求を通信部４２で受信し、資源管理部４３から定期情報を提供する。この定期情報は通信部４２から通信ネットワーク６０を介して管理装置１０に送信する。
【００４４】
管理装置１０は、被管理装置４０からの定期情報を通信部１７で受信すると（ステップＳ３３０）、物理インタフェース選択部１５を介してマネージャ情報処理部１３に転送する。
【００４５】
マネージャ情報処理部１３は、被管理装置４０から送られる定期情報をデータベース１１に格納する（ステップＳ３４０）。また、この時マネージャ情報処理部１３では記憶しておいた情報に基づいて被管理装置４０に定期情報収集を要求した装置が上位管理装置２０やオペレータ端末装置３０であるか否かを確認する。ここでは、マネージャ情報処理部１３自身から定期的な情報収集の要求がされていることを確認することができるため、オペレータ端末装置３０や上位管理装置２０に情報収集の要求に対する被管理装置４０からの応答信号を通知する必要はない。
【００４６】
なお、本実施の形態１のネットワーク管理システムにおいては管理装置１０、上位管理装置２０、オペレータ端末装置３０、被管理装置４０が各１つずつで構成される場合について説明したが、ネットワーク管理システムを構成する管理装置１０、上位管理装置２０、オペレータ端末装置３０、被管理装置４０は各１つずつで構成されるものに限定されるものではなく、ネットワーク管理システムの管理装置１０、上位管理装置２０、オペレータ端末装置３０、被管理装置４０は夫々複数であってもよい。
【００４７】
さらに、本実施の形態１においては通信ネットワーク５０と通信ネットワーク６０の２つの通信ネットワークを備えたネットワーク管理システムについて説明したが、通信ネットワークは２つに限定されるものではなく、ネットワーク管理システムを３つ以上の通信ネットワークで構成するようにしてもよい。この場合、管理装置１０と被管理装置４０には通信ネットワークの数に対応した通信部を設けるよう管理装置１０と被管理装置４０を構成すればよい。
【００４８】
このように実施の形態１によれば、ネットワーク管理システムを構成する管理装置１０が被管理装置４０への管理操作を行う場合に使用する通信部１６と定期的な情報収集を行う場合に使用する通信部１７を備え、被管理装置４０が管理操作命令のあった場合に使用する通信部４１と定期的な情報収集が要求された場合に使用する通信部１７を備え、被管理装置４０への管理操作を行う場合に使用する通信ネットワーク５０と被管理装置４０の定期的な情報収集を行う場合に使用する通信ネットワーク６０とを別個独立して設けたので、被管理装置４０への管理操作を行う場合と被管理装置４０の定期的な情報収集を行う場合に互いの通信状態に影響を及ぼすことがない。したがって、被管理装置４０の管理操作命令に対応する応答信号が遅延するといった問題や被管理装置４０の定期的な情報収集が一定時間内に終了しないといった問題を回避することが可能となる。
【００４９】
実施の形態２．
図４〜図６に従ってこの発明の実施の形態２について説明する。図４はこの発明の実施の形態にかかる通信ネットワーク管理システムの構成を示すブロック図であり、図４の各構成要素のうち図１に示す実施の形態１のネットワーク管理システムと同一機能を達成する構成要素については同一番号を付しており重複する説明は省略する。
【００５０】
実施の形態２にかかる通信ネットワーク管理システムは、通信ネットワーク上の通信装置を管理する管理装置７０、管理装置７０によって管理される被管理装置４０、管理装置７０の管理を行うとともに管理装置１０の操作を行う上位管理装置２０、管理装置７０の操作を行うオペレータ端末装置３０、通信ネットワーク５０，６０からなる。
【００５１】
管理装置７０は、通信ネットワーク５０を介して上位管理装置２０、オペレータ端末装置３０、被管理装置４０と電気的に接続されるとともに、通信ネットワーク６０を介して被管理装置４０と電気的に接続されている。通信ネットワーク５０と通信ネットワーク６０は互いに独立して設置され、互いの通信が相手の通信に影響を及ぼさないように構成されている。
【００５２】
管理装置７０は、データベース１１、上位管理装置情報処理部１２、マネージャ情報処理部１３、端末装置情報処理部１４、物理インタフェース選択部７１、通信部１６，１７で構成されている。
【００５３】
物理インタフェース選択部７１は、通信部１６，１７、上位管理装置情報処理部１２、マネージャ情報処理部１３、端末装置情報処理部１４と電気的に接続されている。また、物理インタフェース選択部７１は、管理装置７０が被管理装置４０の定期情報を収集中であるか否かの判断を行う定期情報収集状態判断部７２を備えている。
【００５４】
定期情報収集状態判断部７２は、管理装置７０が通信部１７によって被管理装置４０の定期情報の収集を行っている場合にはこの状態を記憶しておくものである。そして、上位管理装置２０やオペレータ端末装置３０から管理装置７０に被管理装置４０を管理するための管理制御信号があった際、管理装置７０が定期情報の収集中であれば、通信部１６によって被管理装置４０へ管理操作命令を送信するよう通信部１６を制御する。さらに、通信部１６によって上位管理装置２０やオペレータ端末装置３０へ被管理装置４０からの管理操作命令に対する応答信号を転送するよう通信部１６を制御する。
【００５５】
一方、上位管理装置２０やオペレータ端末装置３０から管理装置７０に被管理装置４０を管理するための管理制御信号があった際、管理装置７０が被管理装置４０から定期情報の収集中でなければ、通信部１６または通信部１７を選択して被管理装置４０へ管理操作命令を送信するよう通信部１６と通信部１７を制御する。なお、管理装置７０が定期情報の収集中でない場合であっても通信部１６によって上位管理装置２０やオペレータ端末装置３０へ被管理装置４０からの管理操作命令に対する応答信号を転送するよう通信部１６を制御する。
【００５６】
被管理装置４０は、管理装置７０から送られる被管理装置４０の管理操作命令を通信ネットワーク５０を介して通信部４１によって受信した場合は、この管理操作命令に対応した応答信号を通信部４１によって管理装置７０に送信する。一方、管理装置７０から送られる被管理装置４０の管理操作命令を通信ネットワーク６０を介して通信部４２によって受信した場合は、この管理操作命令に対応した応答信号を通信部４２によって管理装置７０に送信する。なお、管理装置７０から送信される定期的な情報収集の要求は、通信部１７から通信ネットワーク６０を介して通信部４２に送信されるものとし、被管理装置４０からの定期情報の提供は通信部４２から通信ネットワーク６０を介して通信部１７に送信されるものとする。
【００５７】
つぎに、この発明の実施の形態２にかかるネットワーク管理システムの通信手順について説明する。図５は、被管理装置４０の管理操作を行う場合のネットワーク管理システムの通信手順を示すフローチャートである。
【００５８】
ネットワーク管理システムの管理者はオペレータ端末装置３０の表示部３１または上位管理装置２０の表示部２１から被管理装置４０を管理するため管理装置１０への管理制御信号の入力を行う。管理制御信号の入力が行われると、オペレータ端末装置３０の通信部３２または上位管理装置２０の通信部２２から通信ネットワーク５０を介して管理装置７０へ管理制御信号が送信され、管理装置７０の通信部１６において管理制御信号を受信する。
【００５９】
通信部１６は、受信した被管理装置４０を管理制御信号が上位管理装置２０から送信された場合は物理インタフェース選択部１５を介して上位管理装置情報処理部１２に管理制御信号を転送し、受信した被管理装置４０を管理するための管理制御信号がオペレータ端末装置３０から送信された場合は物理インタフェース選択部１５を介して端末装置情報処理部１４に管理制御信号を転送する。
【００６０】
上位管理装置情報処理部１２または端末装置情報処理部１４は、受信した情報が管理制御信号であることを確認し、受信した管理制御信号をマネージャ情報処理部１３に転送する。そして、マネージャ情報処理部１３は受信した管理制御信号の送信元装置である上位管理装置２０またはオペレータ端末装置３０を記憶するとともに、管理操作命令を実行させる被管理装置４０を特定し、管理操作命令を物理インタフェース選択部７１に送信する（ステップＳ４００）。
【００６１】
物理インタフェース選択部７１の定期情報収集状態判断部７２では、管理装置７０の通信部１７によって被管理装置４０から定期的な情報収集を行っている状態であるか否かを記憶しておく。そして、マネージャ情報処理部１３から物理インタフェース選択部７１に管理操作命令が転送された際、通信部１７によって被管理装置４０から定期的な情報収集を行っている状態であるか否かを判断する（ステップＳ４１０）。
【００６２】
通信部１７によって被管理装置４０から定期的な情報収集を行っている状態である場合は、通信部１６によって管理操作命令を被管理装置４０に送信するよう通信部１６を制御し、通信部１６から通信ネットワーク５０を介して被管理装置４０に管理操作命令を送信する（ステップＳ４２０）。
【００６３】
一方、通信部１７によって被管理装置４０から定期的な情報収集を行っていない状態である場合は、通信部１６または通信部１７によって管理操作命令を被管理装置４０に送信するよう通信部１６と通信部１７を制御し、通信部１６または通信部１７から通信ネットワーク５０を介して被管理装置４０に管理操作命令を送信する（ステップＳ４３０）。ここで、通信部１６と通信部１７の選択は、例えば通信部１６と通信部１７を交互に選択するようにしてもよいし、予め被管理装置４０毎に選択する通信部を設定しておいてもよい。
【００６４】
通信部１６によって管理操作命令を行う場合は、通信ネットワーク５０を介して被管理装置４０の通信部４１に管理操作命令を送信し、通信部１７によって管理操作命令を行う場合は、通信ネットワーク６０を介して被管理装置４０の通信部４２に管理操作命令を送信する。そして、管理操作命令を受信した被管理装置４０は管理操作命令に応じた操作を実行する。
【００６５】
被管理装置４０の資源管理部４３において管理操作命令に応じた操作を実行させた後、管理操作命令の実行に対応する応答信号を被管理装置４０から管理装置７０に送信する。
【００６６】
ここで、被管理装置４０の管理操作命令は通信部１６によって受信したものであるか、通信部１７によって受信したものであるかを確認し（ステップＳ４４０）、管理操作命令が通信部４１によって受信されたものである場合は、通信部４１から通信ネットワーク５０を介して管理装置７０の通信部１６に管理操作命令の実行に対応する応答信号を送信する（ステップＳ４５０）。
【００６７】
一方、管理操作命令が通信部４２によって受信されたものである場合は、通信部４２から通信ネットワーク６０を介して管理装置７０の通信部１７に管理操作命令の実行に対応する応答信号を送信する（ステップＳ４６０）。
【００６８】
管理装置７０は、被管理装置４０からの管理操作命令の実行に対応する応答信号を通信部１６または通信部１７で受信すると、物理インタフェース選択部１５を介してマネージャ情報処理部１３に転送する。
【００６９】
マネージャ情報処理部１３は、被管理装置４０から送られる管理操作命令の実行に対応する応答信号をデータベース１１に格納する。また、この時マネージャ情報処理部１３では記憶しておいた情報に基づいて被管理装置４０に管理操作命令を要求した装置（管理制御信号を送信した装置）がどの装置であるかを確認する。ここでは、上位管理装置２０またはオペレータ端末装置３０から被管理装置４０の管理操作命令が要求されているため、上位管理装置２０またはオペレータ端末装置３０から被管理装置４０の管理操作命令が要求されたことを確認することができる。
【００７０】
そして、被管理装置４０から送られる管理操作命令の実行に対応する応答信号をマネージャ情報処理部１３から物理インタフェース選択部１５を介して通信部１６に転送し、この管理操作命令を要求した上位管理装置２０またはオペレータ端末装置３０に対して管理操作命令の実行に対応する応答信号を通信部１６から通信ネットワーク５０を介して送信する（ステップＳ４７０）。
【００７１】
オペレータ端末装置３０の通信部３２が被管理装置４０から送られる管理操作命令の実行に対応する応答信号を受信した場合は、この応答信号情報が表示部３１に転送され表示部３１において表示される。一方、上位管理装置２０の通信部２２が被管理装置４０から送られる管理操作命令の実行に対応する応答信号を受信した場合は、この応答信号情報が表示部２１に転送され表示部２１において表示される。このように、被管理装置４０から送られる管理操作命令の実行に対応する応答信号が表示部２１や表示部３１に表示されることによってネットワーク管理システムの管理者は被管理装置４０への管理操作命令の実行に対応する応答信号情報を知ることが可能となる。
【００７２】
図６は、被管理装置４０の定期的な情報収集を行う場合のネットワーク管理システムの通信手順を示すフローチャートである。管理装置７０のマネージャ情報処理部１３は、被管理装置４０から定期的な情報収集を行うため時刻を測定するためのタイマを作動させておく。そして、このタイマが所定の時刻になった場合に定期的な情報収集を開始する。なお、このタイマは情報収集を行う被管理装置４０毎、情報収集の種類毎に設定されている。
【００７３】
定期的な情報収集は、マネージャ情報処理部１３からの要求によって行われ、物理インタフェース選択部１５に送信される（ステップＳ５００）。物理インタフェース選択部１５では、操作命令の種類に応じて通信部１６と通信部１７のいずれを用いて被管理装置４０と通信を行うかを選択する。ここでは、マネージャ情報処理部１３から被管理装置４０への定期的な情報収集であるため通信部１７を用いて被管理装置４０と通信を行うことを選択する（ステップＳ５１０）。
【００７４】
さらに、定期情報収集状態判断部７２では被管理装置４０の定期的な情報収集が実行中であることを記憶しておく（ステップＳ５２０）。そして、被管理装置４０の定期的な情報収集が実行中である場合は、被管理装置４０の操作命令を通信部１６によって行うよう制御されることとなる。
【００７５】
物理インタフェース選択部１５で通信部１７の選択を行った後、通信部１７から通信ネットワーク６０を介して被管理装置４０に定期的な情報収集の要求を送信する。被管理装置４０は、定期的な情報収集の要求を通信部４２で受信し、資源管理部４３から定期情報を提供する。この定期情報は通信部４２から通信ネットワーク６０を介して管理装置７０に送信する。
【００７６】
管理装置７０は、被管理装置４０からの定期情報を通信部１７で受信すると（ステップＳ５３０）、物理インタフェース選択部１５を介してマネージャ情報処理部１３に転送する。このとき、物理インタフェース選択部１５では被管理装置４０の定期的な情報収集が完了し定期的な情報収集が実行中でないことを記憶しておく。そして、被管理装置４０の定期的な情報収集が実行中でない場合は、被管理装置４０の操作命令を通信部１６または通信部１７によって行うよう制御されることとなる。
【００７７】
マネージャ情報処理部１３は、被管理装置４０から送られる定期情報をデータベース１１に格納する。また、この時マネージャ情報処理部１３では記憶しておいた情報に基づいて被管理装置４０に定期的な情報収集を要求した装置が上位管理装置２０やオペレータ端末装置３０であるか否かを確認する（ステップＳ５４０）。ここでは、マネージャ情報処理部１３自身から定期的な情報収集の要求がされていることを確認することができるため、オペレータ端末装置３０や上位管理装置２０に情報収集の要求に対する被管理装置４０からの応答信号を通知する必要はない。
【００７８】
なお、本実施の形態２においては被管理装置４０の定期的な情報収集が実行されていない場合に、通信部１６と通信部１７を選択して被管理装置４０の管理操作命令を行うこととしたが、所定の時間内に被管理装置４０の定期的な情報収集が実行される予定がある場合に通信部１６によって被管理装置４０の管理操作命令を行うようにしてもよい。
【００７９】
このように実施の形態２によれば、ネットワーク管理システムが物理インタフェース選択部７１に定期情報収集状態判断部７２を備えた構成としたので、被管理装置４０の定期的な情報収集が実行中でない場合は、通信ネットワーク５０と通信ネットワーク６０の両方を用いて被管理装置４０の管理操作命令を行うことが可能となる。したがって、被管理装置４０の管理操作命令に対応する応答信号が遅延するといった問題や被管理装置４０の定期的な情報収集が一定時間内に終了しないといった問題を回避することが可能となる。
【００８０】
【発明の効果】
以上説明したとおり、この発明によれば、被管理装置への管理操作命令を行う場合に使用する通信ネットワークと被管理装置の定期的な情報収集を行う場合に使用する通信ネットワークとを別個独立して設けたので、被管理装置の管理操作命令に対応する応答信号が遅延するといった問題や被管理装置の定期的な情報収集が一定時間内に終了しないといった問題を回避することが可能になるという効果を奏する。
【図面の簡単な説明】
【図１】この発明の実施の形態１にかかる通信ネットワーク管理システムの構成を示すブロック図である。
【図２】実施の形態１にかかるネットワーク管理システムにおいて被管理装置の管理操作命令を行う場合の通信手順を示すフローチャートである。
【図３】実施の形態１にかかるネットワーク管理システムにおいて被管理装置の定期的な情報収集を行う場合の通信手順を示すフローチャートである。
【図４】この発明の実施の形態２にかかる通信ネットワーク管理システムの構成を示すブロック図である。
【図５】実施の形態２にかかるネットワーク管理システムにおいて被管理装置の管理操作命令を行う場合の通信手順を示すフローチャートである。
【図６】実施の形態２にかかるネットワーク管理システムにおいて被管理装置の定期的な情報収集を行う場合の通信手順を示すフローチャートである。
【符号の説明】
１０，７０  管理装置、１１  データベース、１２  上位管理装置情報処理部、１３  マネージャ情報処理部、１４  端末装置情報処理部、１５  物理インタフェース選択部、１６，１７，２２，３２，４１，４２  通信部、２０  上位管理装置、２１  表示部、３０  オペレータ端末装置、３１  表示部、４０  管理装置、４０  被管理装置、４３  資源管理部、５０，６０  通信ネットワーク、７１  物理インタフェース選択部、７２  定期情報収集状態判断部。
【図１】
2005020534.tif 000003
【図２】
2005020534.tif 000004
【図３】
2005020534.tif 000005
【図４】
2005020534.tif 000006
【図５】
2005020534.tif 000007
【図６】
2005020534.tif 000008